(57)【要約】【課題】  特に接着された部分が長くされる、側壁部の強化効果を提供する。【解決手段】  相対する一対の第一折り辺と、相対する一対の第二折り辺と、両端がそれぞれ該第一折り辺に接着される分割リブ折り部とを備える底部と、該底部の周囲から延出され、相対する一対の第一側壁と、相対する一対の第二壁側とを備え、該第一側壁は、該分割リブ折り部の端部に接着される２つの折り畳み部と、一端から他端に向かって延出される細長形状の接着リブと、他端に形成されると共に、該接着リブの内側と重ねて接着される貼合部とを備える側壁部と、該側壁部の上縁部から延出される強化縁部とを有する。【選択図】  図１
0003162078.tif 000002
【実用新案登録請求の範囲】
【請求項１】
相対する一対の第一折り辺と、相対する一対の第二折り辺と、該第二折り辺の間に位置すると共に、両端がそれぞれ該第一折り辺に接着される分割リブ折り部とを備える底部と、
該底部と隣接する箇所から延出されると共に、それぞれ分割リブ折り部の端部に接着される２つの折り畳み部と、一端から他端に向かって延出されると共に、該２つの折り畳み部を渡る細長形状の接着リブと、他端に形成されると共に、該接着リブの内側と重ねて接着される貼合部とを備えると共に、該第一折り辺から延出される相対する一対の第一側壁と、相対する一対の第二壁側とを備えると共に、該底部の周囲から延出される側壁部と、
該側壁部の上縁部から少し下側に向かって延出される強化縁部とを有することを特徴とする紙製容器。
【請求項２】
前記接着リブは、前記第一側壁の一端から他端に向かって貼合部の上縁部まで延出されることを特徴とする請求項１に記載の紙製容器。
【請求項３】
前記第一側壁には、隣り合う傾斜縁部を有する接着リブ及び貼合部を形成させるように、一端の外側から他端の内側に向かって、前記２つの折り畳み部まで至る傾斜形状の切り口が形成されることを特徴とする請求項１また２に記載の紙製容器。
【請求項４】
前記側壁部は、第一側壁と第二壁側とを連結すると共に、扇形を呈する４つの連結部有することを特徴とする請求項３に記載の紙製容器。
【請求項５】
前記折り畳み部は、分割リブ折り部の端部に結合されるように折り曲げられ、夫々異なるサイズを有すると共に、互いに隣接する２つの逆三角形部を備えるものであることを特徴とする請求項４に記載の紙製容器。
【請求項６】
前記側壁部は、第一側壁と第二壁側とを連結すると共に、扇形を呈する４つの連結部有することを特徴とする請求項１また２に記載の紙製容器。
【請求項７】
前記折り畳み部は、分割リブ折り部の端部に結合されるように折り曲げられ、夫々異なるサイズを有すると共に、互いに隣接する２つの逆三角形部を備えるものであることを特徴とする請求項１また２に記載の紙製容器。
【考案の詳細な説明】
【技術分野】
【０００１】
本考案は、特に簡単的に構成される強化縁部を有する紙製容器に関するものである。
【背景技術】
【０００２】
図４乃至図６に示すように、既有の紙製容器は、底部５０と、側壁６０と、強化縁部７０とを有するものである。前記底部５０は、四角形を呈し、相対する一対の第一折り辺５１と、相対する一対第二折り辺５２と、半分を割って底面に横断される分割折りリブ５３とを備えるものであり、側壁６０は、底部５０の周囲から傾斜的に延出され、分割折りリブ５３の両端に対応する一対の第一側壁６１を備えるものであり、該第一側壁６１は、分割折りリブ５３の端部に対応する箇所に形成されると共に、折り畳で該第二折り辺５２の端部と接着される２つの扇形折り畳み部６１０と、該折り畳み部６１０の上側を切欠いて半分に割る切り口が形成されると共に、両側の近接する縁部が互いに重ねて接着される壁部材６１１、６１２とを備えるものである。互いに重ねて接着される壁部材６１１と壁部材６１２との間には、接着部が形成される。
【考案の概要】
【考案が解決しようとする課題】
【０００３】
しかしながら、前記接着部は、小面積のものであるので、壁部材を強固に接着させることができないことから、前記既有の紙製容器は、互いに接着された壁部材が容易に分離しまい、構造上非常に不安定なものである。また、該接着部の上下方向の長さが短いので、前記既有の紙製容器の壁部材と壁部材とを接着させることが非常に不便である。
【課題を解決するための手段】
【０００４】
本考案に係る紙製容器における側壁部の強化効果を上昇するために、底部と、側壁部と、強化縁部とを有し、該底部は、相対する一対の第一折り辺と、相対する一対の第二折り辺と、該第二折り辺の間に位置すると共に、両端がそれぞれ該第一折り辺に接着される分割リブ折り部とを備えるものであり、
該側壁部は、該底部の周囲から延出され、該第一折り辺から延出されるように、相対する一対の第一側壁と、相対する一対の第二壁側とを備え、該第一側壁は、該底部と隣接する箇所から延出されると共に、それぞれ分割リブ折り部の端部に接着される２つの折り畳み部と、一端から他端に向かって延出されると共に、該２つの折り畳み部を渡る細長形状の接着リブと、他端に形成されると共に、該接着リブの内側と重ねて接着される貼合部とを備えるものであり、該強化縁部は、該側壁部の上縁部から少し下側に向かって延出されることを特徴とする。
【０００５】
前記接着リブ及び貼合部の接着する縁部を長くするために、前記接着リブが第一側壁の一端から他端に向かって貼合部の上縁部まで延出されることが好ましい。
【０００６】
また、他の構成のよって、前記接着リブ及び貼合部の接着する縁部を長くすることがかなうために、第一側壁に、隣り合う傾斜縁部を有する接着リブ及び貼合部を形成させるように、一端の外側から他端の内側に向かって、前記２つの折り畳み部まで至る傾斜形状の切り口が形成されてもよい。
【０００７】
紙製容器の側壁部がスムーズに形成されるように、前記側壁部は、第一側壁と第二壁側とを連結すると共に、扇形を呈する４つの連結部を備えることが好ましい。
【０００８】
底部の分割リブ折り部と側壁部の折り畳み部とを確実にと接着させるために、前記折り畳み部は、分割リブ折り部の端部に結合されるように折り曲げられ、夫々異なるサイズを有すると共に、互いに隣接する２つの逆三角形部を備えるものであることが好ましい。
【考案の効果】
【０００９】
本考案に係る紙製容器は上記の課題を解決するものであるので、本考案は上記の構成を有するので、接着リブと貼合部との接着された部分が長いので、側壁部の強化効果を提供することができる。
【図面の簡単な説明】
【００１０】
【図１】本考案に係る紙製容器の斜視図である。
【図２】本考案に係る紙製容器における底部及び側壁部の部分拡大展開図である。
【図３】本考案に係る紙製容器における底部及び側壁部の部分拡大斜視図である。
【図４】既有の紙製容器の斜視図である。
【図５】既有の紙製容器における底部及び側壁の部分拡大展開図である。
【図６】既有の紙製容器底部及び側壁の部分拡大斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係る紙製容器は、底部１０と、側壁部２０と、強化縁部３０とを有し、その内、該底部１０は、長方形の片体であり、相対する一対の第一折り辺１１と、相対する一対の第二折り辺１２と、長方形の分割リブ折り部１３とを備え、尚、分割リブ折り部１３は、該第二折り辺１２の間に底部１０を横断し、両端がそれぞれ該第一折り辺１１に接着され、紙製容器を分割するように山折りできるものである。
【００１３】
該側壁部２０は、前記底部１０の周囲から傾斜的に上側に向かって延出され、前記分割リブ折り部１３の両端に対応すると共に、それぞれ前記第一折り辺１１から延出されるように、相対する一対の第一側壁２１と、相対する一対の第二壁側２２と、４つの連結部２３とを備えるものであり、その内、該第一側壁２１は、底部１０と隣接する箇所から延出されると共に、折り畳んでから分割リブ折り部１３の端部に接着される２つの折り畳み部２１０と、接着リブ２１１と、貼合部２１２とを備え、該第二壁側２２は、第二折り辺１２から延出されるものである。
【００１４】
さらに、前記各折り畳み部２１０には、異なるサイズを有すると共に、互いに隣接する２つの逆三角形部が設けられる。該２つの逆三角形部が分割リブ折り部１３の端部に結合されるように折り曲げられることが好ましい。該接着リブ２１１は、一端から他端に向かって延出される、中部が該２つの折り畳み部２１０に対応する細長形状のものであり、該貼合部２１２は、他端に形成される、該接着リブ２１１と重ねて接着されるものである。
【００１５】
該第一側壁２１に、一端の外側から他端の内側に向かって、２つの折り畳み部２１０まで至る傾斜形状の切り口が形成されることが好ましい。該切り口は、第一側壁２１における、相対するように隣り合う傾斜縁部を有する細長形状の接着リブ２１１及び貼合部２１２を形成させる。さらに、該接着リブ２１１が第一側壁２１の一端から他端に向かって貼合部２１２の上縁部まで延出され、貼合部２１２の側縁部に重ねて接着されることが好ましい。
【００１６】
該連結部２３は、扇形を呈し、隣接した第一側壁２１と第二壁側２２との間に形成され、折り畳んで接着されることによって第一側壁２１と第二壁側２２とを連結し、第一側壁２１と第二壁側２２との連結し続く角部になることがある。該強化縁部３０は、側壁部２０の上縁部から少し下側に向かって延出されるものである。
【００１７】
本考案に係る紙製容器は、第一側壁２１に形成された細長形状の接着リブ２１１が貼合部２１２に重ねて接着されることによって、安定な側壁部２０を構成することがある。さらに、接着リブ２１１は、第一側壁２１の一端から延出され、中部が２つの折り畳み部２１０を渡って他端に至り、貼合部２１２上縁部の少なくとも二分の一を重ねて接着させてなる接着縁部が長いので、側壁部２０の強化効果を提供することができる。
【産業上の利用可能性】
【００１８】
本考案は、接着リブと貼合部との接着された部分が長いことを特徴とする上記の構成を有するので、側壁部の強化効果を提供することができる。
【符号の説明】
【００１９】
１０            底部
１１            第一折り辺
１２            第二折り辺
１３            分割リブ折り部
２０            側壁部
２１            第一側壁
２１０          折り畳み部
２１１          接着リブ
２１２          貼合部
２２            第二壁側
２３            連結部
３０            強化縁部
５０            底部
５１            第一折り辺
５２            第二折り辺
５３            分割折りリブ
６０            側壁
６１            第一側壁
６１０          折り畳み部
６１１、６１２  壁部材
７０            強化縁部
【図１】
0003162078.tif 000003
【図２】
0003162078.tif 000004
【図３】
0003162078.tif 000005
【図４】
0003162078.tif 000006
【図５】
0003162078.tif 000007
【図６】
0003162078.tif 000008